Podtech/llm-jp-corpus-v4-ja_patent huggingface dataset:
【手続補正書】
【提出日】令和3年3月25日(2021.3.25)
【手続補正１】
【補正対象書類名】特許請求の範囲
【補正対象項目名】全文
【補正方法】変更
【補正の内容】
【特許請求の範囲】
【請求項１】
カメラによってキャプチャされたシーンの画像に基づいてビデオストリームを形成するための方法であって、前記方法は、
前記カメラによってキャプチャされた画像に基づいて、エンコーダによって、画像フレームを符号化し（Ｓ１）、前記ビデオストリームの符号化された部分を形成することと、
前記符号化された部分の調整部分（ＰＡ）中のサンプル画像フレームの動きの長さを、少なくとも所定の数のブロックを符号化した最大動きベクトル長さとして判定する（Ｓ３）ことであって、前記所定の数のブロックが前記ブロックの１０％に相当する、動きの長さを判定することと、
動きの長さしきい値を、前記エンコーダの動きベクトル探索範囲内で検出可能なピクセルのブロックに関する動きの最も長い長さであるように設定する（Ｓ２）ことと、
前記判定された動きの長さを、前記設定された動きの長さしきい値と比較する（Ｓ４）ことと、
前記判定された動きの長さが、前記設定された動きの長さしきい値を上回るときに、前記カメラによってキャプチャされた１つまたは複数の追加の画像に基づいてＮ≧１個の（１つまたは複数の）追加の画像フレーム（３０）を符号化することによって、前記調整部分の前記選定された時間フレーム距離を減少させること（Ｓ５）であって、前記１つまたは複数の追加の画像フレームが前記調整部分の連続画像フレーム（１０、２０）の間に位置し、前記１つまたは複数の追加の画像フレームは後の符号化されたフレームのインターコーディングにおいて参照フレームとして使用でき、前記１つまたは複数の追加の画像フレームは、前記１つまたは複数の追加の画像フレームが前記ビデオストリームの受信機によって表示されるべきでないことを示す非表示マーカーに関連付けられ、それにより、受信機におけるフレームレートを維持しつつ、ピクセルブロックがインターコーディングされ得る尤度が増加する、時間フレーム距離を減少させることと、
前記判定された動きの長さが、前記設定された動きの長さしきい値を下回るときに、前記ビデオストリームの符号化された画像フレームを削除することによって、または前記時間フレーム距離を不変のままにすることによって、前記調整部分の前記選定された時間フレーム距離を増加させること
を含む、方法。
【請求項２】
前記１つまたは複数の追加の画像フレーム（３０）が、前記サンプル画像フレーム（２０）と先行する画像フレーム（１０）との間に位置する、請求項１に記載の方法。
【請求項３】
前記１つまたは複数の追加の画像フレーム（３０）が、動きベクトルを用いて、および残差を用いずにインターフレーム符号化される、請求項１または２に記載の方法。
【請求項４】
前記判定された動きの長さを上側動きの長さしきい値と比較することと、
前記判定された動きの長さが前記上側動きの長さしきい値を下回るという条件に基づいて、前記選定された時間フレーム距離を調整することと
をさらに含む、請求項１から３のいずれか一項に記載の方法。
【請求項５】
前記符号化された部分中の前記サンプル画像フレームの動きの長さを前記判定することが、
前記サンプル画像フレーム（２０）を時間的に先行する画像フレーム（１０）と比較すること
を含む、請求項１から４のいずれか一項に記載の方法。
【請求項６】
前記比較することの前に、前記サンプル画像フレーム（２０）と前記先行する画像フレーム（１０）とをスケールダウンすることをさらに含む、請求項５に記載の方法。
【請求項７】
前記カメラの動きを示すデータを受信すること
をさらに備え、
前記サンプル画像フレームの動きの長さを前記判定することが、前記受信されたデータに基づく、請求項１から６のいずれか一項に記載の方法。
【請求項８】
動きを示す前記データが、前記カメラの動きセンサーまたはパンチルトズーム（ＰＴＺ）制御ユニットから受信される、請求項７に記載の方法。
【請求項９】
処理能力を有するデバイスによって実行されたとき、請求項１から８のいずれか一項に記載の方法を行うように適応された命令をもつ非一時的コンピュータ可読記憶媒体を備えるコンピュータプログラム製品。
【請求項１０】
ビデオストリームを形成するように構成された画像処理ユニットであって、前記画像処理ユニットは、
画像センサー（１０２）によってキャプチャされたシーンの画像を受信するように配置された受信機（９１）と、
前記受信された画像に基づいて、前記ビデオストリームの符号化された部分を形成するために、画像フレームを符号化するように構成されたエンコーダ（９２）と、
前記符号化された部分の調整部分（ＰＡ）中のサンプル画像フレーム（２０）の動きの長さを、少なくとも所定の数のブロックを符号化した最大動きベクトル長さとして判定することであって、前記所定の数のブロックが前記ブロックの１０％に相当する、動きの長さを判定することと、
動きの長さしきい値を、前記エンコーダの動きベクトル探索範囲内で検出可能なピクセルのブロックに関する動きの最も長い長さであるように設定することと、
前記判定された動きの長さを、前記設定された動きの長さしきい値と比較することと、
前記判定された動きの長さが、前記設定された動きの長さしきい値を上回るときに、前記カメラによってキャプチャされた１つまたは複数の追加の画像に基づいてＮ≧１個の（１つまたは複数の）追加の画像フレーム（３０）を符号化することによって、前記調整部分の前記選定された時間フレーム距離を減少させることであって、前記１つまたは複数の追加の画像フレームが前記調整部分の連続画像フレーム（１０、２０）の間に位置し、前記１つまたは複数の追加の画像フレームは後の符号化されたフレームのインターコーディングにおいて参照フレームとして使用でき、前記１つまたは複数の追加の画像フレームは、前記１つまたは複数の追加の画像フレームが前記ビデオストリームの受信機によって表示されるべきでないことを示す非表示マーカーに関連付けられ、それにより、受信機におけるフレームレートを維持しつつ、ピクセルブロックがインターコーディングされ得る尤度が増加する、時間フレーム距離を減少させることと、
前記判定された動きの長さが、前記設定された動きの長さしきい値を下回るときに、前記ビデオストリームの符号化された画像フレームを削除することによって、または前記時間フレーム距離を不変のままにすることによって、前記調整部分の前記選定された時間フレーム距離を増加させること
を行うように構成されたフレームレートコントローラ（９３）と
を備える、画像処理ユニット。
【請求項１１】
請求項１０に記載の画像処理ユニット（９０）を備えるカメラ。
【手続補正書】
【提出日】令和3年3月30日(2021.3.30)
【手続補正１】
【補正対象書類名】特許請求の範囲
【補正対象項目名】全文
【補正方法】変更
【補正の内容】
【特許請求の範囲】
【請求項１】
陽極と陰極との間に発光層を有し、
前記発光層と前記陰極との間に第１の層を有し、
前記第１の層は第１の有機化合物及び遷移金属を有し、前記第１の有機化合物は非共有電子対を有し、
前記第１の有機化合物と前記遷移金属はＳＯＭＯを形成する、発光素子。
【請求項２】
陽極と陰極との間に発光層を有し、
前記発光層と前記陰極との間に第１の層を有し、
前記第１の層は第１の有機化合物及び遷移金属を有し、前記第１の有機化合物は非共有電子対を有し、
前記第１の層を含む膜のスピン密度が１×１０１６ｓｐｉｎｓ／ｃｍ３以上である、発光素子。
【請求項３】
請求項１または請求項２において、
前記陰極と前記第１の層との間に第２の層を有し、前記第２の層は電子不足型複素芳香環を有する第２の有機化合物を含む、発光素子。
【請求項４】
請求項３において、
前記第２の有機化合物が有するＬＵＭＯ準位は、前記ＳＯＭＯが有するエネルギー準位より低い、発光素子。
【請求項５】
陽極と、陰極との間に、第１の発光ユニットと、第２の発光ユニットを有し、
前記第１の発光ユニットと、前記第２の発光ユニットとの間に第１の層を有し、
前記第１の層は第１の有機化合物及び遷移金属を有し、
前記第１の有機化合物は非共有電子対を有し、前記第１の有機化合物と前記遷移金属はＳＯＭＯを形成する、発光素子。
【請求項６】
陽極と、陰極との間に、第１の発光ユニットと、第２の発光ユニットを有し、
前記第１の発光ユニットと前記第２の発光ユニットとの間に第１の層及び電荷発生層を有し、
前記第１の層と前記電荷発生層は互いに接して設けられ、
前記第１の層は第１の有機化合物及び遷移金属を有し、
前記第１の有機化合物は非共有電子対を有し、
前記第１の有機化合物と前記遷移金属はＳＯＭＯを形成する、発光素子。
【請求項７】
陽極と、陰極との間に、第１の発光ユニットと、第２の発光ユニットを有し、
前記第１の発光ユニットと前記第２の発光ユニットとの間に第１の層を有し、
前記第１の層は第１の有機化合物及び遷移金属を有し、
前記第１の有機化合物は非共有電子対を有し、
前記第１の層を含む膜のスピン密度が１×１０１６ｓｐｉｎｓ／ｃｍ３以上５×１０１７ｓｐｉｎｓ／ｃｍ３以下である、発光素子。
【請求項８】
請求項１乃至請求項７のいずれか一項において、
前記遷移金属は周期表における第５族、第７族、第９族、または第１１族のいずれかに属する発光素子。
【請求項９】
請求項１乃至請求項８のいずれか一項において、
前記第１の有機化合物は、電子不足型複素芳香環を有する、発光素子。
【請求項１０】
請求項９において、
前記電子不足型複素芳香環は、ピリジン環、ジアジン環、及びトリアジン環の少なくとも一を有する、発光素子。
【請求項１１】
請求項１乃至請求項１０のいずれか一項において、
前記第１の有機化合物を構成する炭素数は、２５以上１００以下である、発光素子。
【請求項１２】
請求項１乃至請求項１１のいずれか一項において、
前記第１の有機化合物が有するＬＵＭＯ準位が−３．６ｅＶ以上−２．３ｅＶ以下である、発光素子。
【請求項１３】
請求項１乃至請求項１２のいずれか一項において、
アルカリ金属およびアルカリ土類金属を有さない、発光素子。
【請求項１４】
請求項１乃至請求項１３のいずれか一項において、
前記第１の層における、前記遷移金属のモル比率が前記第１の有機化合物に対して、０．２以上０．８以下である、発光素子。
【請求項１５】
請求項１乃至請求項１４のいずれか一項において、
前記陰極が前記遷移金属と同一の物質を含む、発光素子。
【請求項１６】
請求項１乃至請求項１５のいずれか一項に記載の発光素子と、
カラーフィルタまたはトランジスタの少なくとも一方と、
を有する表示装置。
【請求項１７】
請求項１６に記載の表示装置と、
筐体またはタッチセンサの少なくとも一方と、
を有する電子機器。
【請求項１８】
請求項１乃至請求項１５のいずれか一項に記載の発光素子と、
筐体またはタッチセンサの少なくとも一方と、
を有する照明装置。
【手続補正書】
【提出日】令和2年12月14日(2020.12.14)
【手続補正１】
【補正対象書類名】明細書
【補正対象項目名】００２９
【補正方法】変更
【補正の内容】
【００２９】
茶飲料としては、発酵茶、半発酵茶および不発酵茶のいずれもが包含され、例えば、紅茶、緑茶、麦茶、玄米茶、煎茶、玉露茶、ほうじ茶、ウーロン茶、ウコン茶、プーアル茶、ルイボスティー、ローズ茶、キク茶、ハーブ茶（例えば、ミント茶、ジャスミン茶）が挙げられる。
【手続補正２】
【補正対象書類名】明細書
【補正対象項目名】００３４
【補正方法】変更
【補正の内容】
【００３４】
本発明の組成物および用剤並びに食品には、疲労回復効果および／または疲労蓄積予防効果を有する旨の表示が付されてもよい。この場合、消費者に理解しやすい表示とするため本発明の組成物および用剤並びに食品には以下の一部または全部の表示が付されてもよい。なお、本発明において「疲労回復および／または疲労蓄積予防」が以下の表示を含む意味で用いられることはいうまでもない。
・疲労の回復を促す、促進する、高める、サポートする、改善する、あるいは向上させる
・倦怠感の回復を促す、促進する、高める、サポートする、改善する、あるいは向上させる
・活力を維持する、高める、サポートする、改善する、あるいは向上させる・コンディションを維持する、高める、サポートする、改善する、あるいは向上させる
・元気を維持する、高める、サポートする、改善する、あるいは向上させる
・はつらつを維持する、高める、サポートする、改善する、あるいは向上させる
・疲労の蓄積を予防する、防止する、減らす、あるいは抑制する
・筋肉痛を予防する、防止する、減らす、あるいは抑制する
・消耗を予防する、防止する、減らす、あるいは抑制する
・満身創痍を予防する、防止する、減らす、あるいは抑制する
・くたびれを予防する、防止する、減らす、あるいは抑制する
・ダルさを予防する、防止する、減らす、あるいは抑制する
・身体の重さを予防する、防止する、減らす、あるいは抑制する
・活動低下を予防する、防止する、減らす、あるいは抑制する
・疲労が気になる方に
・疲労が残りやすい方に
上記の表示は、「運動後の」、「活動後の」、「肉体疲労後の」または「通常時の」との表示を冒頭に付して用いることもできる。
【手続補正書】
【提出日】令和3年9月14日(2021.9.14)
【手続補正１】
【補正対象書類名】明細書
【補正対象項目名】０００８
【補正方法】変更
【補正の内容】
【０００８】
発明が解決しようとする問題点は、あるアプリケ−ションで使用されるチップは、トランスポンダーの選択を制限してしまうことであり、或いは３種類の周波数で動作するチップを接続することを制限してしまうことである。その為に必要なことは、チップを２つ又は３つのトランスポンダーに、経済的コストとアプリケーションのハードウエア内にスペースを持って、接続することである。
【手続補正２】
【補正対象書類名】明細書
【補正対象項目名】００２６
【補正方法】変更
【補正の内容】
【００２６】
【図１】特許文献４に記載した一実施例の３Ｄコイルの従来例を表す図。同図において、３Ｄコイルは、３本の直交するコイルが直接巻かれる特別なコアに基づき、各コイルは自身のコアの隔壁で２つのコイル部分に分離されている。
【図２】接続ボックスである集積回路（ＩＣ）内に配置される再構築可能な相互接続構成を有する本発明のユニバーサル３Ｄコイルの一実施例を表す図。
【図３】接続ボックスから提供される共通接地と中間接続とそれらの組み合わせによるアンテナ回路の一実施例を表す図。
【図４】接続ボックスから提供される共通接地と中間接続とそれらの組み合わせによるアンテナ回路の一実施例を表す図。
【図５】接続ボックスから提供される共通接地と中間接続とそれらの組み合わせによるアンテナ回路の一実施例を表す図。
【図６】接続ボックスから提供される共通接地と中間接続とそれらの組み合わせによるアンテナ回路の一実施例を表す図。
【手続補正３】
【補正対象書類名】明細書
【補正対象項目名】００２７
【補正方法】変更
【補正の内容】
【００２７】
上記の問題を解決するには、少なくとも、１２５ｋＨｚと１３４．２ｋＨｚの周波数で動作する３本の巻き線と、２０ｋＨｚの周波数で動作す３本の巻き線が必要である。これらの動作周波数はＲＦＩＤの帯域内にある。
【手続補正４】
【補正対象書類名】明細書
【補正対象項目名】００４４
【補正方法】変更
【補正の内容】
【００４４】
図３に示す第１アンテナ・コイル回路。この回路は、共通接地１３を６個の各コイル１２Ｘ１、１２Ｘ２、１２Ｙ１，１２Ｙ２、１２Ｚ１，１２Ｚ２に提供し、６個の外部接続子１１が前記接続ボックス１０で形成される。
【手続補正書】
【提出日】令和3年11月15日(2021.11.15)
【手続補正１】
【補正対象書類名】特許請求の範囲
【補正対象項目名】全文
【補正方法】変更
【補正の内容】
【特許請求の範囲】
【請求項１】
当選役に関する抽選を実行し、該抽選の結果に基づいたゲーム結果を表示するゲームを繰り返し実行可能な遊技機であって、
複数の図柄がそれぞれに付された回転可能な複数のリールと、
回転中の前記複数のリールのそれぞれを停止させるための停止操作を受付可能な複数の停止操作手段と、
遊技の進行に伴って演出を実行する演出実行手段と、
前記複数の停止操作手段に対する停止操作が行われて前記複数のリールが停止した結果、該停止したリールに付された図柄によって特定の図柄組合せが示された場合には、遊技者に特典として遊技媒体を付与する特典付与手段と、
通常遊技状態と、前記通常遊技状態より有利度合いが高い高有利遊技状態と、前記通常遊技状態より有利度合いが高いものの前記高有利遊技状態より有利度合いが低い低有利遊技状態と、が少なくともあるなかでいずれかの遊技状態に制御する遊技状態制御手段と、
を備え、
前記遊技状態制御手段によって前記低有利遊技状態に制御されているときに、前記特典とは別の遊技者にとって有利な別特典を付与するか否かの別特典付与抽選を行うことを可能とし、
前記遊技状態制御手段によって前記低有利遊技状態に制御されているときに、前記別特典付与抽選によって前記別特典を付与する結果が所定回数得られた場合には、前記低有利遊技状態が終了したあとに前記高有利遊技状態へ制御されるものであり、
前記別特典付与抽選によって前記別特典を付与する結果が得られた回数に応じた演出を実行可能であり、
前記別特典付与抽選によって前記別特典を付与する結果が得られたことを視認可能になされ、
前記遊技状態制御手段によって前記低有利遊技状態に制御されているときの前記別特典付与抽選が行われるゲームにおいて、前記当選役に関する抽選の結果によって前記別特典を付与する結果が得られる期待度合いが異なり、
前記通常遊技状態において特別条件が成立すると、前記低有利遊技状態にて行われる前記別特典付与抽選で前記別特典を付与する結果が得られる度合いに関する抽選を行う優遇抽選手段を有し、
前記優遇抽選手段による抽選の結果の情報を保持可能とし、
前記通常遊技状態において前記優遇抽選手段による抽選の結果の情報を複数保持可能であって、且つ、前記通常遊技状態において前記情報を複数保持していることが視認可能になされ、
前記通常遊技状態において保持可能な前記優遇抽選手段による抽選の結果の情報に関して、前記遊技状態制御手段によって前記低有利遊技状態が終了したときに該抽選の結果の情報が保持されていないことを可能とする
ことを特徴とする遊技機。
【手続補正２】
【補正対象書類名】明細書
【補正対象項目名】０００７
【補正方法】変更
【補正の内容】
【０００７】
前記目的を達成するため、本発明は、当選役に関する抽選を実行し、該抽選の結果に基づいたゲーム結果を表示するゲームを繰り返し実行可能な遊技機であって、複数の図柄がそれぞれに付された回転可能な複数のリールと、回転中の前記複数のリールのそれぞれを停止させるための停止操作を受付可能な複数の停止操作手段と、遊技の進行に伴って演出を実行する演出実行手段と、前記複数の停止操作手段に対する停止操作が行われて前記複数のリールが停止した結果、該停止したリールに付された図柄によって特定の図柄組合せが示された場合には、遊技者に特典として遊技媒体を付与する特典付与手段と、通常遊技状態と、前記通常遊技状態より有利度合いが高い高有利遊技状態と、前記通常遊技状態より有利度合いが高いものの前記高有利遊技状態より有利度合いが低い低有利遊技状態と、が少なくともあるなかでいずれかの遊技状態に制御する遊技状態制御手段と、を備え、前記遊技状態制御手段によって前記低有利遊技状態に制御されているときに、前記特典とは別の遊技者にとって有利な別特典を付与するか否かの別特典付与抽選を行うことを可能とし、前記遊技状態制御手段によって前記低有利遊技状態に制御されているときに、前記別特典付与抽選によって前記別特典を付与する結果が所定回数得られた場合には、前記低有利遊技状態が終了したあとに前記高有利遊技状態へ制御されるものであり、前記別特典付与抽選によって前記別特典を付与する結果が得られた回数に応じた演出を実行可能であり、前記別特典付与抽選によって前記別特典を付与する結果が得られたことを視認可能になされ、前記遊技状態制御手段によって前記低有利遊技状態に制御されているときの前記別特典付与抽選が行われるゲームにおいて、前記当選役に関する抽選の結果によって前記別特典を付与する結果が得られる期待度合いが異なり、前記通常遊技状態において特別条件が成立すると、前記低有利遊技状態にて行われる前記別特典付与抽選で前記別特典を付与する結果が得られる度合いに関する抽選を行う優遇抽選手段を有し、前記優遇抽選手段による抽選の結果の情報を保持可能とし、前記通常遊技状態において前記優遇抽選手段による抽選の結果の情報を複数保持可能であって、且つ、前記通常遊技状態において前記情報を複数保持していることが視認可能になされ、前記通常遊技状態において保持可能な前記優遇抽選手段による抽選の結果の情報に関して、前記遊技状態制御手段によって前記低有利遊技状態が終了したときに該抽選の結果の情報が保持されていないことを可能とすることを特徴とする遊技機である。
【手続補正書】
【提出日】令和3年10月25日(2021.10.25)
【手続補正１】
【補正対象書類名】特許請求の範囲
【補正対象項目名】全文
【補正方法】変更
【補正の内容】
【特許請求の範囲】
【請求項１】
二相性リン酸カルシウム／ヒドロキシアパタイト（ＣＡＰ／ＨＡＰ）骨代替材料であって、焼結ＣＡＰコアと、焼結ＣＡＰコアの外表面上に堆積したナノ結晶ＨＡＰの閉じたエピタキシャル成長層（ここで、エピタキシャル成長ナノ結晶は、ヒト骨塩と同じサイズと形態を有する）とを含み、焼結ＣＡＰコアの外表面上に堆積したナノ結晶ＨＡＰの閉じたエピタキシャル成長層が、平らな結晶小板を含む均質な粗い外表面を有する、骨代替材料。
【請求項２】
均質な粗い外表面が、水銀圧入ポロシメトリー（ＭＩＰ）で測定されるとき、０．０３〜２μmの細孔を含有する連結ネットワークを形成するエピタキシャル成長ヒドロキシアパタイト小板を含む、請求項１記載の二相性リン酸カルシウム／ヒドロキシアパタイト（ＣＡＰ／ＨＡＰ）骨代替材料。
【請求項３】
均質な粗い外表面が、ＡＦＭ（原子間力顕微鏡法（Atomic Force Microscopy））で得た５０〜４００nmの範囲の二乗平均平方根粗度Ｒｑ及び５００〜２０００nmの範囲の輪郭の平均最大高さＲｚを用い、ＡＦＭにより特徴付けられる、請求項１又は２記載の二相性リン酸カルシウム／ヒドロキシアパタイト（ＣＡＰ／ＨＡＰ）骨代替材料。
【請求項４】
均質な粗い外表面が、ＡＦＭ（原子間力顕微鏡法）で得た１１０〜１５０nmの範囲の二乗平均平方根粗度（Ｒｑ）及び５５０〜７５０nmの範囲の輪郭の平均最大高さ（Ｒｚ）を用い、ＡＦＭにより特徴付けられる、請求項１〜３のいずれか一項記載の二相性リン酸カルシウム／ヒドロキシアパタイト（ＣＡＰ／ＨＡＰ）骨代替材料。
【請求項５】
焼結ＣＡＰコアが、本質的にα−ＴＣＰからなる、請求項１〜４のいずれか一項記載の二相性リン酸カルシウム／ヒドロキシアパタイト（ＣＡＰ／ＨＡＰ）骨代替材料。
【請求項６】
ＨＡＰの割合が、ＸＲＤにより測定されるとき、１．５〜３０％である、請求項１〜５のいずれか一項記載の二相性リン酸カルシウム／ヒドロキシアパタイト（ＣＡＰ／ＨＡＰ）骨代替材料。
【請求項７】
粒子状又は顆粒状である、請求項１〜６のいずれか一項記載の二相性リン酸カルシウム／ヒドロキシアパタイト（ＣＡＰ／ＨＡＰ）骨代替材料。
【請求項８】
成形体である、請求項１〜６のいずれか一項記載の二相性リン酸カルシウム／ヒドロキシアパタイト（ＣＡＰ／ＨＡＰ）骨代替材料。
【請求項９】
適切なマトリックス中に請求項１〜７のいずれか一項記載の二相性リン酸カルシウム／ヒドロキシアパタイト（ＣＡＰ／ＨＡＰ）骨代替材料の顆粒を含有するパテ。
【請求項１０】
請求項１〜８のいずれか一項記載のＣＡＰ／ＨＡＰ骨代替材料の調製方法であって、以下の工程：
ａ）焼結ＣＡＰコア材料を調製すること、
ｂ）焼結ＣＡＰコア材料を１０℃と５０℃の間の温度で１０〜９０％の短鎖脂肪族アルコールを含有する緩衝液に浸漬して、ＣＡＰからＨＡＰへの変換プロセスを開始し、それによって焼結ＣＡＰコア材料表面上にナノ結晶ヒドロキシアパタイトの閉じたエピタキシャル成長層（ここで、エピタキシャル成長ナノ結晶は、ヒト骨塩と同じサイズと形態を有する）であって、平らな結晶小板を含む均質な粗い外表面を有する、焼結ＣＡＰコア材料表面上に形成されるナノ結晶ＨＡＰの閉じたエピタキシャル成長層が形成されること、
ｃ）ＨＡＰの少なくとも１つのナノ結晶層の閉じたコーティングが存在するが、変換プロセスが完全に終わる前の時点で、水溶液から固体材料を分離することによって変換を停止させること、及び
ｄ）場合により、工程ｃ）からの分離された材料を滅菌すること
を含む方法。
【請求項１１】
短鎖脂肪族アルコールが、エタノールである、請求項１０記載の方法。
【請求項１２】
工程ｂ）の緩衝液が、３０〜５０％の短鎖脂肪族アルコールを含有する、請求項１０又は１１記載の方法。
【請求項１３】
工程ｂ）が、３５〜４０℃の温度で、２０〜６０％の短鎖脂肪族アルコールを含有するｐＨ７．０〜８．０のリン酸緩衝液中で行われる、請求項１０〜１２のいずれか一項記載の方法。
【手続補正書】
【提出日】令和3年7月30日(2021.7.30)
【手続補正１】
【補正対象書類名】特許請求の範囲
【補正対象項目名】全文
【補正方法】変更
【補正の内容】
【特許請求の範囲】
【請求項１】
リールと、
ストップスイッチと、
精算スイッチと、
所定の点灯手段と、
表示手段と、
所定の決定スイッチと、
を備え、
有利となるストップスイッチの操作態様を報知しない通常区間中の遊技において、有利となるストップスイッチの操作態様を報知可能な有利区間に移行するための所定条件を満たしたときは、次回の遊技より有利区間中の遊技となり、
所定の点灯手段は、非点灯状態から点灯状態となることにより少なくとも次回の遊技が有利区間中の遊技であることを報知可能とし、
精算スイッチの操作受付けが有効な状況で精算スイッチが操作されると精算可能とし、
所定条件を満たしたときは、すべてのリールが停止した後であって精算スイッチの操作受付けが有効になるまでの間の所定のタイミングで所定の点灯手段を点灯状態とし、
所定の決定スイッチの操作受付けが有効な状況で所定の決定スイッチが操作されると表示手段にメニュー画面を表示可能とし、
所定条件を満たしたときは、すべてのリールが停止した後であって所定の決定スイッチの操作受付けが有効になるまでの間の所定のタイミングで所定の点灯手段を点灯状態とし、
有利区間に移行すると、割込み処理において有利区間信号を外部に出力するための処理を実行可能とする
ことを特徴とするスロットマシン。
【手続補正２】
【補正対象書類名】明細書
【補正対象項目名】０００８
【補正方法】変更
【補正の内容】
【０００８】
本発明は、ストップスイッチの押し順（および／または操作タイミング）を報知可能な有利区間へ移行するか否かを決定する移行抽選に当選したことに気付かずに、その後の遊技を止めてしまう虞を少なくすることができるスロットマシンを提供することを目的とする。
また、本発明の変更例では上記問題点に鑑みてなされたものであり、遊技者が意図せず本来とは異なる操作をしてしまったために所望する情報が得られなかった場合に、再び所望する情報を得るための操作が煩雑になるのを避けることができるスロットマシンを提供することを目的としている。
【手続補正３】
【補正対象書類名】明細書
【補正対象項目名】０００９
【補正方法】変更
【補正の内容】
【０００９】
上述した課題を解決するために、本発明は、
リールと、
ストップスイッチと、
精算スイッチと、
所定の点灯手段と、
表示手段と、
所定の決定スイッチと、
を備え、
有利となるストップスイッチの操作態様を報知しない通常区間中の遊技において、有利となるストップスイッチの操作態様を報知可能な有利区間に移行するための所定条件を満たしたときは、次回の遊技より有利区間中の遊技となり、
所定の点灯手段は、非点灯状態から点灯状態となることにより少なくとも次回の遊技が有利区間中の遊技であることを報知可能とし、
精算スイッチの操作受付けが有効な状況で精算スイッチが操作されると精算可能とし、
所定条件を満たしたときは、すべてのリールが停止した後であって精算スイッチの操作受付けが有効になるまでの間の所定のタイミングで所定の点灯手段を点灯状態とし、
所定の決定スイッチの操作受付けが有効な状況で所定の決定スイッチが操作されると表示手段にメニュー画面を表示可能とし、
所定条件を満たしたときは、すべてのリールが停止した後であって所定の決定スイッチの操作受付けが有効になるまでの間の所定のタイミングで所定の点灯手段を点灯状態とし、
有利区間に移行すると、割込み処理において有利区間信号を外部に出力するための処理を実行可能とする
ことを特徴とする。
また、本発明の変更例では
複数の選択肢を含む選択画面を表示する表示手段と、
前記選択画面内の選択肢のうちいずれか１つを選択する選択手段と、
外部からの操作に応じて前記表示手段に表示された選択画面から前記選択手段によって選択された選択肢に対応する情報を表示した被選択画面へ切り替える表示切替手段と、
を備え、
前記表示切替手段は、
外部からの操作に応じて前記表示手段の表示を被選択画面から選択画面に切り替えるときに、該被選択画面に対応する選択肢が選択された状態の選択画面を表示し、
前記表示手段は、
電源の遮断後に最初に選択画面を表示するときは、前記複数の選択肢に関する選択状態が初期化された状態で表示する
ことを特徴とする。
【手続補正４】
【補正対象書類名】明細書
【補正対象項目名】００１１
【補正方法】変更
【補正の内容】
【００１１】
上述した本発明の変更例によれば、表示手段に選択画面が表示されているときに外部から操作されると被選択画面に切り替わり、被選択画面が表示されているときに外部から操作されると選択画面に切り替わる。そして、被選択画面から選択画面に切り替わったときは、当該選択画面において、上述した被選択画面に対応する選択肢が選択された状態になっている。これにより、遊技者が意図しない操作によって、選択画面から被選択画面に切り替わり、再び選択画面に戻ってしまった場合、当該選択画面において改めて上述した選択画面に対応する選択肢を選び直す必要が無いため、本来所望していた画面を表示させるための操作が煩雑になるのを避けることができる。
【手続補正５】
【補正対象書類名】明細書
【補正対象項目名】００１３
【補正方法】変更
【補正の内容】
【００１３】
以上のように、本発明のスロットマシンによれば、遊技者が遊技をやめる前に、有利区間ランプを点灯させて、区間移行抽選に当選したことを報知することにより、誤って遊技をやめてしまうことを抑止できる。
また、本発明の変更例のスロットマシンによれば、遊技者が意図せず本来とは異なる操作をしてしまったために所望する情報が得られなかった場合に、再び所望する情報を得るための操作が煩雑になるのを避けることができる。
【手続補正書】
【提出日】令和3年8月20日(2021.8.20)
【手続補正１】
【補正対象書類名】特許請求の範囲
【補正対象項目名】全文
【補正方法】変更
【補正の内容】
【特許請求の範囲】
【請求項１】
遊技媒体が通過することによって遊技価値が付与される所定領域と、
識別情報の可変表示を実行可能な可変表示手段と、
遊技の進行を制御する主基板に設けられ、前記遊技媒体の所定領域への通過によって付与される遊技価値の付与数に関する第１情報及び第２情報を含む所定情報を表示可能な情報表示手段と、
前記主基板が封入されているとともに、かしめられた透明な基板ケースと、
前記基板ケースに貼付された封印シールと、を備え、
前記情報表示手段は、前記基板ケース内における前記封印シールによって隠されない位置に配置されており、
前記情報表示手段は、
前記第１情報及び前記第１情報を算出するための情報を集計する集計期間を特定可能な第１特定情報と、前記第２情報及び前記第２情報を算出するための情報を集計する集計期間を特定可能な第２特定情報と、を所定期間ごとに切り替えて表示可能であり、
前記第１情報を表示するための集計期間が経過していないときは、前記第１情報を表示せず、前記第１特定情報とともに数値とは異なる集計期間が経過していない旨の表示を行い、
前記第２情報を表示するための集計期間が経過していないときは、前記第２情報を表示せず、前記第２特定情報とともに数値とは異なる集計期間が経過していない旨の表示を行い、
所定のエラーが発生しているときは、数値とは異なる第１特殊表示を行うことが可能であり、
前記可変表示手段は、前記情報表示手段が前記特殊表示を行ってるときに、識別情報の可変表示とは異なる第２特殊表示を行うことが可能である、
ことを特徴とする遊技機。
【手続補正２】
【補正対象書類名】明細書
【補正対象項目名】０００３
【補正方法】変更
【補正の内容】
【０００３】
また、特許文献１に示されるように、遊技盤の表面に遊技球の流下方向や速度を変化させる風車や多数の遊技釘が設けられているものがある。この種の遊技機においては、入賞口や通過ゲートの通過割合は、遊技盤に設けられた遊技釘の調整等によって変動する。この遊技機では、遊技釘などの調整により、遊技球の払出率の設計などを行うことがある。
【手続補正３】
【補正対象書類名】明細書
【補正対象項目名】０００８
【補正方法】変更
【補正の内容】
【０００８】
【特許文献１】特開２０１４−１１７５７６号公報
【手続補正４】
【補正対象書類名】明細書
【補正対象項目名】０００９
【補正方法】変更
【補正の内容】
【０００９】
しかし、特許文献１に記載された遊技機では、遊技釘などに対してどのような調整を行ったかを遊技機の外部から認識することができなかったため、設計値通りの払出率となるか否かの判断が難しかった。
【手続補正５】
【補正対象書類名】明細書
【補正対象項目名】００１０
【補正方法】変更
【補正の内容】
【００１０】
そこで、本発明は、どのような調整を加えられたかを認識できる遊技機を提供することを目的とする。
【手続補正６】
【補正対象書類名】明細書
【補正対象項目名】００１１
【補正方法】変更
【補正の内容】
【００１１】
（手段Ａ）本発明による遊技機は、
遊技媒体が通過することによって遊技価値が付与される所定領域と、
識別情報の可変表示を実行可能な可変表示手段と、
遊技の進行を制御する主基板に設けられ、前記遊技媒体の所定領域への通過によって付与される遊技価値の付与数に関する第１情報及び第２情報を含む所定情報を表示可能な情報表示手段と、
前記主基板が封入されているとともに、かしめられた透明な基板ケースと、
前記基板ケースに貼付された封印シールと、を備え、
前記情報表示手段は、前記基板ケース内における前記封印シールによって隠されない位置に配置されており、
前記情報表示手段は、
前記第１情報及び前記第１情報を算出するための情報を集計する集計期間を特定可能な第１特定情報と、前記第２情報及び前記第２情報を算出するための情報を集計する集計期間を特定可能な第２特定情報と、を所定期間ごとに切り替えて表示可能であり、
前記第１情報を表示するための集計期間が経過していないときは、前記第１情報を表示せず、前記第１特定情報とともに数値とは異なる集計期間が経過していない旨の表示を行い、
前記第２情報を表示するための集計期間が経過していないときは、前記第２情報を表示せず、前記第２特定情報とともに数値とは異なる集計期間が経過していない旨の表示を行い、
所定のエラーが発生しているときは、数値とは異なる第１特殊表示を行うことが可能であり、
前記可変表示手段は、前記情報表示手段が前記特殊表示を行ってるときに、識別情報の可変表示とは異なる第２特殊表示を行うことが可能である、
ことを特徴とする。
（手段１）他の遊技機は、遊技を制御する主基板（例えば、主基板１１、主基板９０１１など）と、遊技媒体の通過により賞球が払い出される所定領域（例えば、第２始動入賞口となる普通可変入賞球装置９０６Ｂ、大入賞口となる特別可変入賞球装置９０７、第１始動入賞口となる普通入賞球装置９０６Ａ、一般入賞領域となる一般入賞口９０５０Ａ〜９０５０Ｄ）と、前記所定領域への前記遊技媒体の通過によって払い出される賞球に関する所定賞球情報（例えば、役連、役比）を表示可能な情報表示手段（例えば、表示モニタ９０２９）と、遊技者の動作を検出可能な検出手段（例えば、プッシュボタン１２０やスティックコントローラ１２２、赤外線センサなど）と、遊技者の動作を促すための促進報知（例えば、第１操作促進画像や第２操作促進画像を表示する操作促進報知）を実行可能な促進報知手段（例えば、演出制御用マイクロコンピュータ１００がステップＳ８１１１，Ｓ８１２５，Ｓ８１３９，Ｓ８１５３，Ｓ８１６７を実行する部分）と、前記検出手段により遊技者の動作が検出されたことにもとづいて、所定演出（例えば、各ボタン演出）を実行可能な演出実行手段（例えば、遊技制御用マイクロコンピュータ１００がステップＳ８１１４，Ｓ８１２８，Ｓ８１４２，Ｓ８１５６，Ｓ８１７０を実行する部分）と、を備え、前記促進報知手段は、一の動作（例えば、プッシュボタン１２０を１回押下する操作、連打する操作、および長押しする操作など）を促すための促進報知を、第１促進画像（例えば、プッシュボタン１２０の外観を模した第１操作促進画像）を少なくとも表示する第１パターンと、前記第１促進画像に加えて前記第１促進画像とは異なる第２促進画像（例えば、所定の文字を示す第２操作促進画像）を表示する第２パターンとにより、実行可能であり（図３２〜図３４参照）、前記第１パターンと前記第２パターンとのいずれにより前記促進報知が実行されたかに応じて期待度が異なり（例えば、第１パターンにより操作促進報知が行われる当否煽り時ボタン演出の第１演出態様と、第２パターンにより操作促進報知が行われる当否煽り時ボタン演出の第２演出態様および第３演出態様とは、期待度が異なる。図３２（ｃ）参照）、前記情報表示手段は、前記所定賞球情報への視認性を妨げられないように前記主基板上に設けられていることを特徴とする。
そのような構成によれば、遊技者に分かりやすく期待度を示すことができる。また、どのような調整を加えられたかを容易に認識できる。
【手続補正書】
【提出日】令和3年11月4日(2021.11.4)
【手続補正１】
【補正対象書類名】特許請求の範囲
【補正対象項目名】請求項４
【補正方法】変更
【補正の内容】
【請求項４】
前記１回の印刷工程によって前記立体印刷物を形成する方法は、モーノ式のディスペンサーで吐出する方法による、ことを特徴とする請求項３に記載の立体印刷物の製造方法。
【手続補正２】
【補正対象書類名】明細書
【補正対象項目名】００１７
【補正方法】変更
【補正の内容】
【００１７】
本発明の立体印刷物の製造方法の第２の態様は、前記１回の印刷工程によって前記立体印刷物を形成する方法は、モーノ式のディスペンサーで吐出する方法による、ことを特徴とする立体印刷物の製造方法である。
【手続補正３】
【補正対象書類名】明細書
【補正対象項目名】００４５
【補正方法】変更
【補正の内容】
【００４５】
１回の印刷工程によって立体印刷物を形成する方法としては、モーノ式のディスペンサーで吐出する方法によることが好ましい。具体的な方法については、後述の実施例で述べる。
【手続補正４】
【補正対象書類名】明細書
【補正対象項目名】００５３
【補正方法】変更
【補正の内容】
【００５３】
高粘度材料の供給が可能な武蔵エンジニアリング社製のモーノ式のディスペンサーを搭載する材料供給装置に、上記の当該材料、及び切削加工で形成した印刷ヘッド３００または３２０を実装し、ガラスの基材１０上に吐出を行った。
【手続補正５】
【補正対象書類名】明細書
【補正対象項目名】００６４
【補正方法】変更
【補正の内容】
【００６４】
また、図６に示す本発明の配線パターンの第２例を作製し検証した。まず、モーノ式のディスペンサーを用いて予め銀を主剤とした金属ペースト２５０をガラスの基材１０に印刷しオーブンを用いて焼成し硬化した。その後、上記の導電エラストマーを主剤として、本発明の立体印刷物の第２例（図２）である門型の立体印刷物の印刷を行った。その結果、低抵抗の銀ペーストを覆うようにフレキシブル性を有する導電性エラストマーからなる配線パターンを得ることに成功した。
【手続補正書】
【提出日】令和3年7月8日(2021.7.8)
【手続補正１】
【補正対象書類名】特許請求の範囲
【補正対象項目名】全文
【補正方法】変更
【補正の内容】
【特許請求の範囲】
【請求項１】
所望の磁界強度および所望の磁界方向を有する磁界を発生するシステムであって、
複数の第１の磁気セグメントを含む第１の磁石であって、
複数の第１の磁気セグメントの各々は、複数の第１の磁気セグメントの少なくとも他の１つに隣接して位置し、
複数の第１の磁気セグメントの各々は、実質的に同一かつ第１の方向に沿った磁化方向を有する、
第１の磁石と、
複数の第２の磁気セグメントを含む第２の磁石であって、
複数の第２の磁気セグメントの各々は、複数の第２の磁気セグメントの少なくとも他の１つに隣接して位置し、
複数の第２の磁気セグメントの各々は、実質的に同一かつ第２の方向に沿った磁化方向を有する、
第２の磁石と、
前記第１の磁石に隣接する強磁性体エレメントと、
を含む、システム。
【請求項２】
前記強磁性体エレメントは複数の強磁性セグメントを含み、
複数の強磁性セグメントの各々は、複数の強磁性セグメントの少なくとも他の１つに隣接して位置する、
請求項１に記載のシステム。
【請求項３】
前記第１の磁石は、追加の第１の磁気セグメントを含み、
前記追加の第１の磁気セグメントは、複数の第１の磁気セグメントの少なくとも１つに隣接して位置し、
前記追加の第１の磁気セグメントは、第３の方向に沿った磁化方向を有する、
請求項１に記載のシステム。
【請求項４】
前記第２の磁石は、追加の第２の磁気セグメントを含み、
前記追加の第２の磁気セグメントは、複数の第２の磁気セグメントの少なくとも１つに隣接して位置し、
前記追加の第２の磁気セグメントは、第４の方向に沿った磁化方向を有する、
請求項３に記載のシステム。
【請求項５】
前記第１の磁石は、複数の追加の第１の磁気セグメントを含み、
複数の追加の第１の磁気セグメントの各々は、
複数の第１の磁気セグメントの少なくとも１つ、および
複数の追加の第１の磁気セグメントの少なくとも他の１つ、
の１つ以上に隣接して位置し、
複数の追加の第１の磁気セグメントの各々は、実質的に同一かつ第３の方向に沿った磁化方向を有する、
請求項１に記載のシステム。
【請求項６】
前記第２の磁石は、複数の追加の第２の磁気セグメントを含み、
複数の追加の第２の磁気セグメントの各々は、
複数の第２の磁気セグメントの少なくとも１つ、および
複数の追加の第２の磁気セグメントの少なくとも他の１つ、
の１つ以上に隣接して位置し、
複数の追加の第２の磁気セグメントの各々は、実質的に同一かつ第４の方向に沿った磁化方向を有する、
請求項５に記載のシステム。
【請求項７】
前記システムは、測定量を有する磁気共鳴イメージングデバイスにおいて使用するためのものであり、
前記所望の磁界強度および前記所望の磁界方向は、前記測定量に関連し、
前記第１の方向および前記第２の方向は、前記測定量の位置での前記所望の磁界強度および前記所望の磁界方向に基づいている、
請求項１に記載のシステム。
【請求項８】
前記第３の方向は、追加の第１の磁気セグメントに隣接する磁気セグメントの磁化方向に基づいている、請求項３に記載のシステム。
【請求項９】
前記第３の方向は、前記第１の方向および前記第２の方向のうちの少なくとも１つに基づいている、請求項８に記載のシステム。
【請求項１０】
前記第３の方向は、複数の追加の第１の磁気セグメントのうちの少なくとも１つに隣接する磁気セグメントの磁化方向に基づいている、請求項５に記載のシステム。
【請求項１１】
前記第３の方向は、前記第１の方向および前記第２の方向のうちの少なくとも１つに基づいている、請求項１０に記載のシステム。
【請求項１２】
複数の第１の磁気セグメントの各々は、少なくとも２つの平行な面を有する実質的に同一の第１の形状を有し、前記第１の方向は、複数の第１の磁気セグメントの各々の同じ２つの平行な面の間を通過する軸に沿っていて、
複数の第２の磁気セグメントの各々は、少なくとも２つの平行な面を有する実質的に同一の第２の形状を有し、前記第２の方向は、複数の第２の磁気セグメントの各々の同じ２つの平行な面の間を通過する軸に沿っていて、
前記第１の方向は、前記第２の方向と異なる、
請求項１に記載のシステム。
【請求項１３】
前記第１の方向は、前記第２の方向に実質的に直交している、請求項１２に記載のシステム。
【請求項１４】
前記第３の方向は、
追加の第１の磁気セグメントの２つの対向するコーナー間を通過する軸、および
追加の第１の磁気セグメントの２つの対向するエッジ間を通過する軸、
のうちの１つに沿っている、請求項３に記載のシステム。
【請求項１５】
前記第４の方向は、
追加の第２の磁気セグメントの２つの対向するコーナー間を通過する軸、および
追加の第２の磁気セグメントの２つの対向するエッジ間を通過する軸、
のうちの１つに沿っている、請求項４に記載のシステム。
【請求項１６】
複数の追加の第１の磁気セグメントの各々は、２つの対向するコーナーおよび２つの対向するエッジのうちの少なくとも１つを有する実質的に同一の形状を有し、
前記第３の方向は、
複数の追加の第１の磁気セグメントのうちの１つにおける２つの対向するコーナー間を通過する軸、および
複数の追加の第１の磁気セグメントのうちの１つにおける２つの対向するエッジ間を通過する軸、
のうちの１つに沿っている、請求項５に記載のシステム。
【請求項１７】
複数の追加の第２の磁気セグメントの各々は、２つの対向するコーナーおよび２つの対向するエッジのうちの少なくとも１つを有する実質的に同一の形状を有し、
前記第４の方向は、
複数の追加の第２の磁気セグメントのうちの１つにおける２つの対向するコーナー間を通過する軸、および
複数の追加の第２の磁気セグメントのうちの１つにおける２つの対向するエッジ間を通過する軸、
のうちの１つに沿っている、請求項６に記載のシステム。
【請求項１８】
前記第１の磁石は、複数の第１の磁気セグメントのうちの少なくとも１つに隣接して配置される少なくとも１つの流体充填セグメントをさらに含む、請求項１に記載のシステム。
【請求項１９】
複数の第１の磁気セグメントの各々は、実質的に同一の形状およびサイズを有し、
前記少なくとも１つの流体充填セグメントは、形状およびサイズを有し、
前記少なくとも１つの流体充填セグメントの形状は、複数の第１の磁気セグメントの各々の形状と実質的に同一であり、
前記少なくとも１つの流体充填セグメントのサイズは、複数の第１の磁気セグメントの各々のサイズと実質的に同一である、
請求項１８に記載のシステム。
【請求項２０】
前記少なくとも１つの流体充填セグメントは、複数の第１の磁気セグメントの少なくとも１つの隣接する第１の磁気セグメントをサポートするフレームを有する、請求項１８に記載のシステム。
【手続補正書】
【提出日】令和3年7月27日(2021.7.27)
【手続補正１】
【補正対象書類名】特許請求の範囲
【補正対象項目名】全文
【補正方法】変更
【補正の内容】
【特許請求の範囲】
【請求項１】
便器本体の便蓋内側に、裏面に粘着剤を塗布した略Ａ４タイプの大きさの殺菌・除菌・抗菌の機能を有する機能シートを貼付し、便蓋閉蓋時に機能シート表面から便器本体内部と共に便器本体の周囲にも殺菌・除菌・抗菌の機能作用を及ぼすように構成し、
殺菌・除菌・抗菌の機能を有する機能シートとしては、
紙質のシート本体の表面に薬剤を塗布し、裏面に粘着剤を塗布すると共に、薬剤としては水酸化カルシウムを基本として水性塗料樹脂を混合して構成したことを特徴とする殺菌等機能を有する腰かけ便器。
【請求項２】
塗布した薬剤表面或いは機能シート表面には宣伝広告の機能も具備する文字や図形を印刷したことを特徴とする請求項１に記載の殺菌等機能を有する腰かけ便器。
【手続補正２】
【補正対象書類名】明細書
【補正対象項目名】０００２
【補正方法】変更
【補正の内容】
【０００２】
従来、便器に殺菌シートを組み合わせた技術は多々ある。
例えば、腰かけ便器の便蓋の内側にホルダーを取りつけて芳香剤や除菌剤や消臭剤などをケースごと取付けるものや、便蓋の表面に光触媒を坦持した便蓋シートを張設するもの等がある（特許文献１,２,３）。
【手続補正３】
【補正対象書類名】明細書
【補正対象項目名】０００６
【補正方法】変更
【補正の内容】
【０００６】
本発明の態様の１つは、便器本体の便蓋内側に、裏面に粘着剤を塗布した略Ａ４タイプの大きさの殺菌・除菌・抗菌の機能を有する機能シートを貼付し、便蓋閉蓋時に機能シート表面から便器本体内部と共に便器本体の周囲にも殺菌・除菌・抗菌の機能作用を及ぼすように構成し、殺菌・除菌・抗菌の機能を有する機能シートとしては、紙質のシート本体の表面に薬剤を塗布し、裏面に粘着剤を塗布すると共に、薬剤としては水酸化カルシウムを基本として水性塗料樹脂を混合して構成したことを特徴とする殺菌等機能を有する腰かけ便器に関する。
【手続補正４】
【補正対象書類名】明細書
【補正対象項目名】０００７
【補正方法】削除
【補正の内容】
【手続補正５】
【補正対象書類名】明細書
【補正対象項目名】０００９
【補正方法】変更
【補正の内容】
【０００９】
本発明に係る腰かけ便器によれば、便器本体の便蓋内側に、裏面に粘着剤を塗布した略Ａ４タイプの大きさの殺菌・除菌・抗菌の機能を有する機能シートを貼付し、便蓋閉蓋時に機能シート表面から便器本体内部と共に便器本体の周囲にも殺菌・除菌・抗菌の機能作用を及ぼすように構成したことにより、
便器本体の非使用時に閉蓋した状態において機能シートが殺菌・除菌・抗菌の機能を発揮する。
特に閉蓋しているために殺菌等の機能は直接的に便器本体の便器ボウル部分に作用して閉蓋状態の便器ボウル内空間を殺菌、除菌する。
しかも、便蓋と便座との間には略密着状態であるが便蓋と便器本体の便器ボウル周縁部との間には便蓋閉蓋時の緩衝剤としてゴム等のスペーサ-が介在しているため一定の隙間が形成されている。従って、この隙間から便器ボウルに充満した殺菌・除菌・抗菌の機能薬剤が漏れて便器本体の外にも拡散して便所内空間における殺菌等を行うことができる効果がある。
他方、便蓋を開放した時には便蓋の裏面が立ち上がった状態であるために便器本体の便器ボウル内の上方から便所空間全体に殺菌等の機能を及ぼすことができる。
従って、男性の小用のために便蓋を持ち上げて立てた状態とした場合は小用時の周辺雰囲気の殺菌等と共に飛び跳ね小用に対する殺菌等の機能も果たすことができる効果がある。
しかし、男性の立ち小用時や便蓋跳ね上げ状態での着座使用時では便蓋の内面に貼着された機能シートは立ち上がった状態であるために便所内空間に露出している。従って、便所内空間全体に対して主体的に殺菌等の機能を果たすが、便器本体の非使用時には基本的に便蓋を閉蓋しておくことにより主体的には雑菌が最も多い便器本体の便器ボウル内空間の殺菌等を行うことができ、副次的には便蓋と便器ボウル周縁部との間の間隙から薬剤の拡散が行われて便所内全体の殺菌等の機能を果たすことで便器本体内外の殺菌を効率的に実施できる効果がある。
【手続補正６】
【補正対象書類名】明細書
【補正対象項目名】００１０
【補正方法】変更
【補正の内容】
【００１０】
また、請求項１に係る発明によれば、殺菌・除菌・抗菌の機能を有する機能シートとしては、紙質のシート本体の表面に薬剤を塗布し、裏面に粘着剤を塗布すると共に、薬剤としては水酸化カルシウムを基本として水性塗料樹脂を混合して構成したことにより、機能シートを単に便蓋の内側に張設するだけの作業で便所における衛生的な環境を生成することができる効果がある。
しかも、紙質のシート本体の表面に薬剤を塗布したものであるため取扱いも簡便でありコスト的にも有利であり、また、薬剤としては水酸化カルシウムを基本として水性塗料樹脂を混合して構成したものであるために強力な殺菌等の機能を一定期間果たすことができシート本体の取り換えも便蓋裏面から剥離して張設し直すだけでよいためシート本体の交換も簡便に行える効果がある。
特に薬剤が水酸化カルシウムを基本として水性塗料樹脂を混合して構成しているために紙質表面に容易に塗布することができ、薬剤の塗布厚さを調整することにより薬剤の機能期間や効能の調整をすることができる効果がある。
【手続補正７】
【補正対象書類名】明細書
【補正対象項目名】００１１
【補正方法】変更
【補正の内容】
【００１１】
請求項２に係る発明によれば、塗布した薬剤表面或いは機能シート表面には宣伝広告の機能も具備する文字や図形を印刷したことにより、便蓋を上げて使用する際には殺菌等の機能と共に広告宣伝機能も果たすことができ広告スポンサーの有料化により機能シートのコストの低減にも役立てることができる効果がある。
【手続補正８】
【補正対象書類名】明細書
【補正対象項目名】００１９
【補正方法】変更
【補正の内容】
【００１９】
上記条件下で測定した結果、表１〜５に示すように、測定した４成分について２４時間後には初期測定値と比較して約９０％の減少が確認された。
【手続補正９】
【補正対象書類名】明細書
【補正対象項目名】００２９
【補正方法】変更
【補正の内容】
【００２９】
かかる機能シート２０のシート本体２２に浸漬した薬剤２３の機能は次のようなメカニズムによって生成される。
すなわち、薬剤２３の塗膜表面や内部には多数の細孔があり、その分表面積が広くウイルス液はかかる広範囲の面積の薬剤２３と接触する。ウイルス液が薬剤２３に付着するとウイルスの周辺の水分は薬剤２３を構成するＣａ（ＯＨ）２消石灰によって強アルカリ性となりウイルス液の強アルカリ性化によってウイルスの構造が破壊され感染価が減少する。
すなわち、ウイルスの周囲環境が強アルカリ性になると脂質やたんぱく質の変性を引き起こしウイルスの構造が破壊される。
ウイルスは一般に咳、くしゃみによる飛沫中吐しゃ物など水分と共に存在する。
薬剤２３のこのような機能により抗菌、抗ウイルス効果が発揮される。